(57)【要約】【課題】  共用構造型のマルチ形態で電源を入力する充電器を提供する。【解決手段】  直流電源を備える。手動ハンドル式発電機は、直流出力又は交流発電出力を生じる。充電制御電気回路は、機電又は固体電子パーツで構成され、充電電圧又は電流を調整制御して出力する。共用構造負荷は、必要によって直流電源、手動ハンドル式発電機又は充電制御電気回路を選んで同時に共用するケースに設けるランダム共用構造負荷である。外部負荷は、充放電装置又は電気エネルギーによって負荷を駆動する。ケースは、装置を設けるケースである。充電器は、人力で廻されることで発電して、電気エネルギーを生じ、電気会社が提供する交流電源又はその他直流電流を入力電源として、充電制御電気回路を通して負荷に給電する。【選択図】    図３
2005278255.tif 000002
【特許請求の範囲】
【請求項１】
共用構造型のマルチ形態で電源を入力する充電器に関し、手動ハンドル式発電機電源が設けられ、従来式の直流電源又は交流電源を整流して直流に転換した電源の両者の一つ又は一つ以上と共同で充電制御電気回路によって充放電バッテリーに充電し、又は、その他の電気エネルギー負荷に給電することを特徴とする充電器。
【請求項２】
直流電源（１０１）は、直流発電機、蓄電装置、太陽エネルギー又は化学エネルギーの電気エネルギーで構成される直流電源又は電気会社が提供する交流電源を整流装置の整流で転換した直流電源で構成され、
手動ハンドル式発電機（１０２）は、ハンドルのある発電機であり、人力で廻して動かされることで、直流出力又は交流発電出力を生じ、交流出力を整流装置の整流で直流出力に転換しても良く、
充電制御電気回路（１０３）は、機電又は固体電子パーツで構成され、直流電源（１０１）又は手動ハンドル式発電機（１０２）からの電気エネルギーが入力されることで、充電電圧又は電流を調整制御して出力し、
共用構造負荷（１０４）は、必要によって直流電源（１０１）、手動ハンドル式発電機（１０２）又は充電制御電気回路（１０３）を選んで同時に共用するケースに設けるランダム共用構造負荷であり、必要によって充放電装置を選んで設けることで構成するランダム共用構造負荷（１０４１）と、必要によってライド装置、音響装置、又は、無線周波数、赤外線又は超音波の通信装置で構成する電気エネルギー負荷（１０４２）を選んで設けるランダム共用構造負荷との２種類があり、又は、２種類が同時に存在しても良く、導線又はプラグソケットセットを負荷とする出力インタフェース（１０５）を使って、外部負荷（１０６）に給電するもの及び外部負荷（１０６）を構成する充放電装置に充電するか、電気エネルギーに負荷を駆動して給電するものを含み、
外部負荷（１０６）は、充放電装置又は電気エネルギーによって負荷を駆動することで構成され、
ケース（２００）は、前記装置を設けるケースであり、
前記装置によって構成される共用構造型のマルチ形態で電源を入力する充電器に関し、それによって、人力で廻すことで発電して、電気エネルギーを生じ、電気会社が提供する交流電源又はその他直流電流を入力電源として、充電制御電気回路を通して負荷に給電することを特徴とする請求項１記載の充電器。
【請求項３】
更に固定で設置されるバッテリーベースを共用構造負荷とすることが可能であり、同時に導線又はプラグソケットセットを負荷とする出力インタフェースが設けられ、外部の充放電装置又は電気エネルギー駆動負荷に充電又は給電し、バッテリーベースの中にバッテリーを入れて電源として、導線又はプラグソケットセットを負荷とする出力インタフェースを通して外部の充放電装置に充電するか、電気エネルギー駆動負荷に給電し、
直流電源（１０１）は、直流発電機、蓄電装置、太陽エネルギー又は化学エネルギーの電気エネルギーで構成される直流電源又は電気会社が提供する交流電源を整流装置の整流で転換した直流電源で構成され、
手動ハンドル式発電機（１０２）は、ハンドルのある発電機であり、人力で廻して動かされることで、直流出力又は交流発電出力を生じ、交流出力を整流装置の整流で直流出力に転換しても良く、
充電制御電気回路（１０３）は、機電又は固体電子パーツで構成され、直流電源（１０１）又は手動ハンドル式発電機（１０２）からの電気エネルギーが入力されることで、充電電圧又は電流を調整制御して出力し、制御電気回路は更に必要によってランダム共用構造負荷（２０４）の充電ベース（２１３）の中に置いてあるバッテリー（２１４）を制御する出力制御電気回路を選んで設けることで、導線又はプラグソケットセットを負荷とする出力インタフェース（１０５）を通して外部負荷（１０６）に給電し、その給電は外部負荷（１０６）の充放電装置に充電するか、電気エネルギー駆動負荷に給電するものを含み、
共用構造負荷（２０４）は、必要によって直流電源（１０１）、手動ハンドル式発電機（１０２）又は充電制御電気回路（１０３）を選んで同時に共用するケースに設けるランダム共用構造負荷であり、必要によってバッテリー（２１４）を入れる充電ベース（２１３）を選んで設けるランダム共用構造負荷と、必要によってライド装置、音響装置、又は、無線周波数、赤外線又は超音波の通信装置で構成する電気エネルギー負荷（１０４２）を選んで設けるランダム共用構造負荷との２種類があり、又は、２種類が同時に存在することで、マルチ形態で電源を入力する充電器と共用構造になり、又、導線又はプラグソケットセットを負荷とする出力インタフェース（１０５）を使って、外部負荷（１０６）に給電するもの及び外部負荷（１０６）を構成する充放電装置に充電するか、電気エネルギーに負荷を駆動して給電するものを含み、
外部負荷（１０６）は、充放電装置又は電気エネルギーによって負荷を駆動することで構成され、
ケース（２００）は、前記装置を設けるケースであることを特徴とする請求項１記載の充電器。
【請求項４】
機能は、直流電源（１０１）又は手動ハンドル式発電機（１０２）によって充電制御電気回路（１０３）を通して共用構造負荷（２０４）及び外部負荷（１０６）の両者又はその中の一つに給電することを含むことを特徴とする請求項３記載の充電器。
【請求項５】
機能は、ランダム共用構造負荷（２０４）によって充電制御電気回路（１０３）を通して外部負荷（１０６）に給電することを含むことを特徴とする請求項３記載の充電器。
【請求項６】
導線又はプラグソケットセットを負荷とする出力インタフェース（１０５）の導線又はプラグソケットセットは、必要によってケース（２００）の選定された位置に設置可能であり、
直流電源（１０１）は、直流発電機、蓄電装置、太陽エネルギー又は化学エネルギーの電気エネルギーで構成される直流電源又は電気会社が提供する交流電源を整流装置の整流で転換した直流電源で構成され、
手動ハンドル式発電機（１０２）は、ハンドル、発電機及び必要によって選んで設ける加速ギアーセットなどのパーツで構成され、
充電制御電気回路（１０３）は、機電又は固体電子パーツで構成され、直流電源（１０１）又は手動ハンドル式発電機（１０２）からの電気エネルギーが入力されることで、充電電圧又は電流を調整制御して出力し、制御電気回路は更に必要によってランダム共用構造負荷（２０４）の充電ベース（２１３）の中に置いてあるバッテリー（２１４）を制御する出力制御電気回路を選んで設けることで、導線又はプラグソケットセットを負荷とする出力インタフェース（１０５）を通して外部負荷（１０６）に給電し、その給電は外部負荷（１０６）の充放電装置に充電するか、電気エネルギー駆動負荷に給電するものを含み、
ケース（２００１）は、ハンドルのある銃の形状を呈するケース構造であり、一側に手動ハンドル発電機のハンドルが設けられ、本体の前端、ハンドルの底部又はその他の選定された位置に交流電源のプラグ（２１０）が設けられ、プラグ（２１０）は固定式、可動式又は押し引き動かす収納式のいずれを使っても良く、又は、ソケット及びプラグ付きのケーブルを使って、又は、ケース構造から直接ケーブルが伸びても良く、ケーブルは巻き付ける形態又は自動的に巻き付ける形態を呈しても良く、銃の形状を呈するケースの内部に手動ハンドル式発電機に関連する伝動パーツ及び発電機が設けられ、又、充電制御電気回路、交流、トランス及び交流を直流に変更する整流電気回路などで構成されることを特徴とする請求項１記載の充電器。
【請求項７】
導線又はプラグソケットセットは、必要によってケース（２００）の選定された位置に設置可能であり、
直流電源（１０１）は、直流発電機、蓄電装置、太陽エネルギー又は化学エネルギーの電気エネルギーで構成される直流電源又は電気会社が提供する交流電源を整流装置の整流で転換した直流電源で構成され、
手動ハンドル式発電機（１０２）は、ハンドル、発電機及び必要によって選んで設ける加速ギアーセットなどのパーツで構成され、
充電制御電気回路（１０３）は、機電又は固体電子パーツで構成され、直流電源（１０１）又は手動ハンドル式発電機（１０２）からの電気エネルギーが入力されることで、充電電圧又は電流を調整制御して出力し、制御電気回路は更に必要によってランダム共用構造負荷（２０４）の充電ベース（２１３）の中に置いてあるバッテリー（２１４）を制御する出力制御電気回路を選んで設けることで、導線又はプラグソケットセットを負荷とする出力インタフェース（１０５）を通して外部負荷（１０６）に給電し、その給電は外部負荷（１０６）の充放電装置に充電するか、電気エネルギー駆動負荷に給電するものを含み、
ケース（２００２）は、アーク断面を呈する細長い形のものであり、一側に手動ハンドル発電機のハンドルが設けられ、他側又はその他の選定された位置に交流電源のプラグ（２１０）が設けられ、プラグ（２１０）は固定式、可動式又は押し引き動かす収納式のいずれを使っても良く、又は、ソケット及びプラグ付きのケーブルを使って、又は、ケース構造から直接ケーブルが伸びても良く、ケーブルは巻き付ける形態又は自動的に巻き付ける形態を呈しても良く、銃の形状を呈するケースの内部に手動ハンドル式発電機に関連する伝動パーツ及び発電機が設けられ、充電制御電気回路、交流、トランス及び交流を直流に変更する整流電気回路などで構成されることを特徴とする請求項１記載の充電器。
【発明の詳細な説明】
【技術分野】
【０００１】
本発明は、共用構造型のマルチ形態で電源を入力する充電器を提供するものである。
【背景技術】
【０００２】
携帯式電気用品の使用が徐々に増えているため、充電器使用も徐々に増えている。従来の充電器の即時充電電源は、通常、三つの形態がある。即ち、（１）電気会社が提供する電気を電源とする挿入して充電するタイプ、（２）バッテリーを入れて電源とする緊急充電及び（３）手動ハンドル式発電機などである。
【発明の開示】
【発明が解決しようとする課題】
【０００３】
本発明の主要な目的は、共用構造型のマルチ形態で電源を入力する充電器を提供するものである。それは、手動ハンドル式発電機の電源が設けられる他、従来式の（１）直流電源又は（２）交流電源を整流して直流に転換した電源の両者の一つ又は一つ以上と共同で充電制御電気回路によって充放電バッテリーに充電する。又は、その他の電気エネルギー負荷に給電することで、電源を選ぶ場合の便利性を向上し、体積も減少できるものである。
【課題を解決するための手段】
【０００４】
本発明は、共用構造型のマルチ形態で電源を入力する充電器設計に関するものである。この設計の突破性は、３ｉｎ１の統合目的を達成する。それは、主に、手動ハンドル式発電機の電源が設けられる他、従来式の（１）直流電源又は（２）交流電源を整流して直流に転換した電源の両者の一つ又は一つ以上と共同で充電制御電気回路によって充放電バッテリーに充電する。又は、その他の電気エネルギー負荷に給電することで、電源を選ぶ場合の便利性を向上し、体積も減少できる。
【発明を実施するための最良の形態】
【０００５】
図１は、本発明の一実施例による共用構造型のマルチ形態で電源を入力する充電器構造のブロック図である。共用構造型のマルチ形態で電源を入力する充電器の主要な構造は、下記のものを含む。
【０００６】
直流電源１０１：直流発電機、蓄電装置、太陽エネルギー又は化学エネルギーの電気エネルギーで構成される直流電源又は電気会社が提供する交流電源を整流装置の整流で転換した直流電源で構成される。
【０００７】
手動ハンドル式発電機１０２：ハンドルのある発電機である。それは、人力で廻して動かされることで、直流出力又は交流発電出力を生じる。その交流出力を整流装置の整流で直流出力に転換しても良い。
【０００８】
充電制御電気回路１０３：機電又は固体電子パーツで構成されるものである。直流電源１０１又は手動ハンドル式発電機１０２からの電気エネルギーが入力されることで、充電電圧又は電流を調整制御して出力する。
【０００９】
共用構造負荷１０４：必要によって直流電源１０１、手動ハンドル式発電機１０２又は充電制御電気回路１０３を選んで同時に共用するケースに設けるランダム共用構造負荷である。それは、必要によって充放電装置を選んで設けることで構成するランダム共用構造負荷１０４１と、必要によってライド装置、音響装置、又は、無線周波数、赤外線又は超音波の通信装置で構成する電気エネルギー負荷１０４２を選んで設けるランダム共用構造負荷との２種類がある。又は、２種類が同時に存在しても良い。又、導線又はプラグソケットセットを負荷とする出力インタフェース１０５を使って、外部負荷１０６に給電するもの及び外部負荷１０６を構成する充放電装置に充電するか、電気エネルギーに負荷を駆動して給電するものを含む。
【００１０】
外部負荷１０６：充放電装置又は電気エネルギーによって負荷を駆動することで構成される。
ケース２００：前記装置を設けるケースである。
【００１１】
上述の装置によって構成される共用構造型のマルチ形態で電源を入力する充電器に関するものである。それによって、人力で廻すことで発電して、電気エネルギーを生じさせる。又、電気会社が提供する交流電源又はその他直流電流を入力電源として、充電制御電気回路を通して負荷に給電する。
【００１２】
この共用構造型のマルチ形態で電源を入力する充電器は、更に固定で設けられるバッテリーベースを共用構造負荷とすることができる。又、同時に導線又はプラグソケットセットを負荷とする出力インタフェースを設けることで、外部の充放電装置又は電気エネルギー駆動負荷に充電又は給電する。更に、バッテリーケースの中にバッテリーを入れて電源として、導線又はプラグソケットセットを負荷とする出力インタフェースを通して外部の充放電装置に充電するか、電気エネルギー駆動負荷に給電する。
【００１３】
図２は、本発明の他の実施例による共用構造型のマルチ形態で電源を入力する充電器構造のブロック図である。その主要な構造は、下記のものを含む。
直流電源１０１：直流発電機、蓄電装置、太陽エネルギー又は化学エネルギーの電気エネルギーで構成される直流電源又は電気会社が提供する交流電源を整流装置の整流で転換した直流電源で構成される。
【００１４】
手動ハンドル式発電機１０２：ハンドルのある発電機である。それは、人力で廻して動かされることで、直流出力又は交流発電出力を生じる。交流出力を整流装置の整流で直流出力に転換しても良い。
【００１５】
充電制御電気回路１０３：機電又は固体電子パーツで構成される。直流電源１０１又は手動ハンドル式発電機１０２からの電気エネルギーが入力されることで、充電電圧又は電流を調整制御して出力する。制御電気回路は、更に必要によってランダム共用構造負荷２０４の充電ベース２１３の中に置いてあるバッテリー２１４を制御する出力制御電気回路を選んで設けることで、導線又はプラグソケットセットを負荷とする出力インタフェース１０５を通して外部負荷１０６に給電する。その給電は、外部負荷１０６の充放電装置に充電するか、電気エネルギー駆動負荷に給電するものを含む。
【００１６】
共用構造負荷２０４：必要によって直流電源１０１、手動ハンドル式発電機１０２又は充電制御電気回路１０３を選んで同時に共用するケースに設けるランダム共用構造負荷である。それは、必要によってバッテリー２１４を入れる充電ベース２１３を選んで設けるランダム共用構造負荷と、必要によってライド装置、音響装置、又は、無線周波数、赤外線又は超音波の通信装置で構成する電気エネルギー負荷１０４２を選んで設けるランダム共用構造負荷との２種類がある。又は、２種類が同時に存在することで、マルチ形態で電源を入力する充電器と共用構造になる。又、導線又はプラグソケットセットを負荷とする出力インタフェース１０５を使って、外部負荷１０６に給電するもの及び外部負荷１０６を構成する充放電装置に充電するか、電気エネルギーに負荷を駆動して給電するものを含む。
【００１７】
外部負荷１０６：充放電装置又は電気エネルギーによって負荷を駆動することで構成される。
ケース２００：前記装置を設けるケースである。
【００１８】
上述の装置によって構成される共用構造型のマルチ形態で電源を入力する充電器に関するものである。それによって、人力で廻すことで発電して、電気エネルギーを生じさせる。又、電気会社が提供する交流電源又はその他直流電流を入力電源として、充電制御電気回路を通して外部負荷に給電する。その機能は、下記のものを含む。
【００１９】
１．直流電源１０１又は手動ハンドル式発電機１０２によって充電制御電気回路１０３を通して共用構造負荷２０４及び外部負荷１０６の両者又はその中の一つに給電する。
２．ランダム共用構造負荷２０４によって充電制御電気回路１０３を通して外部負荷１０６に給電する。
【００２０】
図３は、本発明の他の実施例による充電器の斜視図である。
図４は、図３の側面図である。
図５は、図３の模式図である。
【００２１】
図３〜図５の中で、導線又はプラグソケットセットを負荷とする出力インタフェース１０５の導線又はプラグソケットセットは、必要に応じてケース２００の選定された位置に設けられることができる。その主要な含むものは、下記の通りである。
【００２２】
直流電源１０１：直流発電機、蓄電装置、太陽エネルギー又は化学エネルギーの電気エネルギーで構成される直流電源又は電気会社が提供する交流電源を整流装置の整流で転換した直流電源で構成される。
手動ハンドル式発電機１０２：ハンドル、発電機及び必要によって選んで設ける加速ギアーセットなどのパーツで構成される。
【００２３】
充電制御電気回路１０３：機電又は固体電子パーツで構成される。直流電源１０１又は手動ハンドル式発電機１０２からの電気エネルギーが入力されることで、充電電圧又は電流を調整制御して出力する。制御電気回路は、更に必要によってランダム共用構造負荷２０４の充電ベース２１３の中に置いてあるバッテリー２１４を制御する出力制御電気回路を選んで設けることで、導線又はプラグソケットセットを負荷とする出力インタフェース１０５を通して外部負荷１０６に給電する。その給電は、外部負荷１０６の充放電装置に充電するか、電気エネルギー駆動負荷に給電するものを含む。
【００２４】
ケース２００１：ハンドルのある銃の形状を呈するケース構造である。一側に手動ハンドル発電機のハンドルが設けられ、本体の前端、ハンドルの底部又はその他の選定された位置に交流電源のプラグ２１０が設けられ、プラグ２１０は固定式、可動式又は押し引き動かす収納式のいずれを使っても良い。又は、ソケット及びプラグ付きのケーブルを使って、又は、ケース構造から直接ケーブルが伸びても良い。ケーブルは巻き付ける形態又は自動的に巻き付ける形態を呈しても良い。銃の形状を呈するケースの内部に手動ハンドル式発電機に関連する伝動パーツ及び発電機が設けられ、又、充電制御電気回路、交流、トランス及び交流を直流に変更する整流電気回路などで構成される。
【００２５】
図６は、本発明の他の実施例による充電器の斜視図である。
図７は、図６の側面図である。
図８は、図６の模式図である。
【００２６】
図６〜図８の中で、導線又はプラグソケットセットを負荷とする出力インタフェース１０５の導線又はプラグソケットセットは、必要によってケース２００の選定された位置に設けられることができる。その主要な含むものは、下記の通りである。
【００２７】
直流電源１０１：直流発電機、蓄電装置、太陽エネルギー又は化学エネルギーの電気エネルギーで構成される直流電源又は電気会社が提供する交流電源を整流装置の整流で転換した直流電源で構成される。
手動ハンドル式発電機１０２：ハンドル、発電機及び必要によって選んで設ける加速ギアーセットなどのパーツで構成される。
【００２８】
充電制御電気回路１０３：機電又は固体電子パーツで構成される。直流電源１０１又は手動ハンドル式発電機１０２からの電気エネルギーが入力されることで、充電電圧又は電流を調整制御して出力する。制御電気回路は、更に必要によってランダム共用構造負荷２０４の充電ベース２１３の中に置いてあるバッテリー２１４を制御する出力制御電気回路を選んで設けることで、導線又はプラグソケットセットを負荷とする出力インタフェース１０５を通して外部負荷１０６に給電する。その給電は、外部負荷１０６の充放電装置に充電するか、電気エネルギー駆動負荷に給電するものを含む。
【００２９】
ケース２００２：アーク断面を呈する細長い形のものである。一側に手動ハンドル発電機のハンドルが設けられ、他側又はその他の選定された位置に交流電源のプラグ２１０が設けられ、プラグ２１０は固定式、可動式又は押し引き動かす収納式のいずれを使っても良い。又は、ソケット及びプラグ付きのケーブルを使って、又は、ケース構造から直接ケーブルが伸びても良い。ケーブルは巻き付ける形態又は自動的に巻き付ける形態を呈しても良い。銃の形状を呈するケースの内部に手動ハンドル式発電機に関連する伝動パーツ及び発電機が設けられ、又、充電制御電気回路、交流、トランス及び交流を直流に変更する整流電気回路などで構成される。
【００３０】
上述より、共用構造型のマルチ形態で電源を入力する充電器は、多種の選べるマルチ電源を備えて一体になる構造を呈するので、従来の個別で独立する手動ハンドル式発電充電器及び電気会社が提供する電源を使う充電器と比較して、より便利性があり、コストがより低く、その長所は確実なので、申し込みを提出して、法律によってご審査してくださいますようにお願いします。
【図面の簡単な説明】
【００３１】
【図１】本発明の一実施例による充電器のブロック図である。
【図２】本発明の他の実施例による充電器のブロック図である。
【図３】本発明の他の実施例による充電器を示す斜視図である。
【図４】本発明の他の実施例による充電器を示す側面図である。
【図５】本発明の他の実施例による充電器を示す模式図である。
【図６】本発明の他の実施例による充電器を示す斜視図である。
【図７】本発明の他の実施例による充電器を示す側面図である。
【図８】本発明の他の実施例による充電器を示す模式図である。
【符号の説明】
【００３２】
１０１  直流電源、１０２  手動ハンドル式発電機、１０３  充電制御電気回路、１０４  共用構造負荷、１０５  出力インタフェース、１０６  外部負荷、２００  ケース、２０４  共用構造負荷、２１０  交流電源のプラグ、２１３  充電ベース、２１４  バッテリー、１０４１  ランダム共用構造負荷、１０４２  電気エネルギー負荷
【図１】
2005278255.tif 000003
【図２】
2005278255.tif 000004
【図３】
2005278255.tif 000005
【図４】
2005278255.tif 000006
【図５】
2005278255.tif 000007
【図６】
2005278255.tif 000008
【図７】
2005278255.tif 000009
【図８】
2005278255.tif 000010